(57)【要約】      （修正有）【課題】墓石の骨壺収容空間内に自立状に収納された骨壺が、地震による揺れや、大雨による骨壺収容空間内の溜まり水により転倒する事態を長期に亘り防止することのできる骨壺用台座を提供する。【解決手段】墓石の骨壺収容空間内に配置されるものであって、平板状の支持台（畳床）２と、該支持台（畳床）２の上面を被覆した被覆部材（畳表）１と、支持台２の内部に配設された磁石３とを備えた構成としている。【選択図】図１
0003212941.tif 000002
【実用新案登録請求の範囲】
【請求項１】
墓石の骨壺収容空間内に配置され上面に骨壺を載置されるものであって、平板状の支持台と、該支持台の上面を被覆した被覆部材と、前記支持台の内部に配設された磁石とを備えたことを特徴とする骨壺用台座。
【請求項２】
前記被覆部材が合成樹脂材でできた畳表であり、且つ、前記支持台が合成樹脂材でてきた畳床であることを特徴とする請求項１記載の骨壺用台座。
【考案の詳細な説明】
【技術分野】
【０００１】  本考案は、墓石の骨壺収容空間内に設置される骨壺用台座に関する。
【背景技術】
【０００２】  我が国は昔、人が亡くなると、棺桶に遺体を収容した状態で土の中に埋めるように行う土葬という形式を採るのが一般的であったが、現在では一般に火葬という方式が採られており、遺骨の入った骨壺を墓石の骨壺収容空間内に納めるようにしている。【０００３】  骨壺収容空間を有した墓石は広く知られており、例えば、特許文献１〜４に開示されたようなものが存在している。これら墓石の骨壺収容空間は、故人ごとにその遺骨の入れられた骨壺を夫婦或いは家族の範囲内で任意個数、納めるように使用されるのが通常であり、家族墓の場合、例えば大きいもので４個程度の骨壺が収容できる大きさとされている。【０００４】  この骨壺収容空間の使用において、これの内方に既に骨壺が収容されている状態で新たな骨壺を追加的に収容する場合、骨壺の数が少ないうちは既に収容されている骨壺を移動させないでも行えるが、骨壺収容空間内の骨壺の数が増えてくると、必要に応じ、先に収容されている骨壺を移動させることにより収容スペースを予め確保し、その後、新たな骨壺を収容するように行われる。【０００５】  上記骨壺収容空間の下面は、墓石を支える土地に連なる土面のままとすることが少なくない（例えば、特許文献１参照）。その根拠は宗教観における「人は死ぬと土に帰る」という考え方にあると思われる。この場合、骨壺は下面が土面に密着した状態とされる。しかし、「崇拝すべき遺骨の入った骨壺を土面に接した状態で置くのは汚い、可哀そう」という遺族の思いから下面をコンクリートで仕上げる場合もある（例えば特許文献２及び３参照）。【０００６】  このように骨壺収容空間の形態には種々相違したものが存在しているが、これの中に収容される骨壺は骨壺収容空間内の下面上に重力作用による自立状態に置かれるだけで、骨壺に対する格別な転倒防止策は講じられていないのが実情である。
【先行技術文献】
【特許文献】
【０００７】
【特許文献１】特開平９−２７９９０４号公報
【特許文献２】実公平３−５０２０２号公報
【特許文献３】特開２００５−１６３３３３号公報
【特許文献４】特開２０１０−１８９８４８号公報
【考案の概要】
【考案が解決しようとする課題】
【０００８】  上記のように骨壺収容空間内に自立状態で収容された骨壺は倒れやすい状態であり、これまでにも地震の発生により頻繁に転倒している。また地震により比較的強い揺れが発生したときは、転倒した骨壺が割れたり或いは骨壺の蓋が外れるなどして、その中に収容されている遺骨がこぼれ出たり、さらにはこぼれ出た遺骨が他の骨壺内のものと混合してしまう事態も発生する。【０００９】  一方、骨壺収容空間内の下面がコンクリートで形成されている場合には、大雨が降ることで骨壺収容空間内に水が溜まることがあり、この溜まり水による浮力で、骨壺収容空間内の骨壺が転倒してしまい、上記と同様な事態を招くこともある。
本考案は、これら事態の発生を防止できるものとした骨壺用台座を提供することを目的とするものである。
【課題を解決するための手段】
【００１０】  上記目的を達成するため、本考案に係る骨壺用台座は、墓石の骨壺収容空間内に配置され上面に骨壺を載置されるものであって、平板状の支持台と、該支持台の上面を被覆した被覆部材と、前記支持台の内部に配設された磁石とを備えた構成とされている。【００１１】  このさい、被覆部材として合成樹脂でできた畳表を使用するのがよいのであり、また磁石は永久磁石とするのがよい。
【考案の効果】
【００１２】  本考案によれば、上面に載置された骨壺が地震の揺れや水の浮力により転倒するのを磁石から発せられる磁力により長期に亘って防止することが可能となる。【００１３】  また被覆部材として合成樹脂でできた畳表を使用した場合、故人に対する崇敬の念や、「畳の上で死にたい」などという故人の希望に適うものとなる。また磁石を永久磁石とした場合、構造が簡易且つ低コストで済むものとなる。
【図面の簡単な説明】
【００１４】
【図１】本考案の第一実施例である骨壺用台座の斜視図である。
【図２】上記骨壺用台座の一部を示す側面視拡大断面図である。
【図３】上記骨壺用台座の使用態様図である。
【図４】墓石の一例を示し一部を断面で示した側面図である。
【図５】本考案の第二実施例である骨壺用台座の斜視図である。
【考案を実施するための形態】
【００１５】  まず、本考案に係る骨壺用台座の第一実施例について、図面を参照して説明する。
図１は第一実施例である骨壺用台座（以下、「第一畳座」と称す。）の斜視図、図２は第一畳座の中央部の側面視拡大断面図である。
【００１６】  第一畳座１００は、被覆部材をなす畳表１、支持台をなす畳床２、及び磁石３を備えている。畳表１は従来と同様にいぐさ風樹脂材である横向き条材１ａに縦糸１ｂを絡ませて織成したもので、横向き条材１ａとしては例えばポリプロピレン（ＰＰ）を素材としたものが使用され、また縦糸１ｂとしては例えばポリエステルなどの合成樹脂材でできたものが使用されている。さらに横向き条材１ａ群の横幅方向の各端部には例えばポリエステルなどの合成樹脂でできた畳縁１ｃ１、１ｃ２が被着されている。
【００１７】  畳床２は上方視形状を一辺長さがおよそ２５ｃｍ程度の正方形とされ、また厚さｔ１をおよそ２ｃｍ程度とされている。本例の畳床２はポリスチレンフォーム体である上層部材２ａとアクリル板である下層部材２ｂからなっており、上層部材２ａは厚さｔ１２をおよそ１、５ｃｍ程度とされ、下層部材２ｂは厚さｔ１３をおよそ０．５ｃｍ程度とされている。
【００１８】  磁石３は本例では外径がおよそ１０ｃｍのドーナツ形とされたフェライト系の永久磁石とさている。この磁石３は畳床２の平面視中央位置でポリスチレンフォーム体２ａの肉厚範囲内に配置されている。この磁石３の固定は任意に実施して差し支えないが、本例ではポリスチレンフォーム体２ａに円形透孔ａ１を設け、この円形透孔ａ１内にステンレス材からなるカップ形の容器４を設け、この容器４内にドーナツ形の磁石３を配置している。容器４の底面上の中心位置にはナット体５が配設されている。このナット体５にアクリル板２ｂの下面側からステンレス材からなる雄ネジ６を螺着することで磁石３、容器４及びアクリル板２ｂを一体化させている。なお磁石３は容器４の内底面に耐久性を有する接着剤で固定されている。このさい、磁石３の上面、ナット体５の上面及び、容器４の上端面はポリスチレンフォーム体２ａの上面に合致されている。
【００１９】  畳表１は畳床２の上面及び側面に密着した状態に被着されると共に外周縁の全てをアクリル板２ｂの下面に到達させた状態とされている。そしてアクリル板２ｂの下面の全範囲には塩ビシート７が少なくとも数十年に及ぶ耐久性を有する既存の接着剤により貼り付けられている。この塩ビシート７は畳表１の外周縁をアクリル板２ｂの下面に固定化させる上で寄与する。
【００２０】  次に上記した第一畳座１００の使用例を説明する。
図３は第一畳座１００の側面視使用態様図、図４は上記第一畳座１００の使用される墓石の一例を示す側面図である。
【００２１】  芝台８の内側で中台９の下方には骨壺収容空間Ｋが形成されており、この骨壺収容空間Ｋの下面は芝台８を支持した土の一部を平らに均した状態の土面Ｋ１とされている。
第一畳座１００は畳表１が上側となるように骨壺収容空間Ｋ内に挿入し、土面Ｋ１上の適当な位置に図３に示すように水平状に配置する。そして本例畳座１００の周辺であって水平方向上で対向した位置の数か所にステンレス材からなる釘９を打ち込み、本例畳座１００を釘９の位置保持力により上下左右へ移動し難い状態とする。
【００２２】  一方、骨壺１０は一般に陶器などの非磁性体でできているため、その底面には例えば円形のステンレス板１１を接着剤により貼り付ける。この接着剤は長期に亘って接着力を保持し得る既存のものを使用する。このような状態とした骨壺１０を本例の第一畳座１００の上面の中央位置に載置し自立姿勢とする。なお骨壺１０はすでに骨壺収容空間Ｋ内の土面上に昔より置かれているものでもステンレス板１１を貼り付けることにより新しいものと同様に取り扱えるのである。
【００２３】  これによりステンレス板１１が磁石３の磁力により畳表１の上面側に吸着された状態となり、第一畳座１００と骨壺１０が一体化される。したがって、骨壺１０及び第一畳座１００は地震により上下左右に強く揺られても或いは大雨などにより生じた骨壺収容空間Ｋ内の溜まり水の浮力を受けるなどしても、骨壺収容空間Ｋ内で移動し或いは転倒するような事態の生じない状態となり、骨壺１０は長年に亘り安定的に位置保持されるようになる。
【００２４】  なお骨壺収容空間Ｋ内に他の骨壺１０を追加的に収容する場合には、骨壺収容空間Ｋ内の空いた土面Ｋ１上箇所に別の第一畳座１００を上記同様に固定し、その畳表１上に新たに収容した骨壺１０を位置させるようにする。この場合、必要に応じて先に収容した第一畳座１００及び骨壺１０を移動させることもある。
【００２５】  次に、本考案に係る第二実施例である骨壺用台座（以下、「第二畳座」と称す。）１０１について説明する。図５は第二畳座１０１の斜視図である。
この第二畳座１０１は第一畳座１００の４個分を一体状に形成したもので各列を２個分の長さとして前後２列の平面状配置とした構造とされている。その他の点では第一畳座１００と実質的な相違はない。第一畳座１００と実質的に同一の部材には同一符号を付してある。
【００２６】  この第二畳座１０１を使用する際はこれを例えば図４に示すような墓石の骨壺収容空間Ｋ内に挿入し、第一畳座１００の場合と同様にステンレス材の釘９を地面に打ち込んで地面に固定させておく。そして骨壺１０は磁石３の真上となる位置の畳表１上に第一畳座１００の場合と同様に載置する。このさい骨壺１０の載置を便利に行えるようにするため畳表１の上面で各磁石３の真上となる位置にその位置を示す適宜な表記を施しておくのが好ましい。
【００２７】  この第二畳座１０１によれば骨壺１０のそれぞれについて一つの第一畳座１００を用意する必要がなくなって、手間及び費用が大幅に低減される。
この第二畳座１０１において、４個の円板状の磁石３に代えて、これよりも少ない２個或いは１個数とし且つ上方視形状を例えば四角形などとした磁石３とすることも差し支えない。
【００２８】  上記した第一畳座１００及び第二畳座１０１は骨壺収容空間Ｋの下面がコンクリートであっても使用し得るものである。この場合、第一畳座１００及び第二畳座１０１は骨壺収容空間Ｋの下面であるコンクリートに既存の適宜な器具や接着剤を使用するなどして取り付ける。このさい、将来収容される骨壺１０の配置をあらかじめ正確に決定しておくことにより、第一畳座１００或いは第二畳座１０１を将来の不都合を生じさせることなく固定させることができる。
【符号の説明】
【００２９】  １００  第一畳座
１０１  第二畳座
１  被覆部材（畳表）
２  支持台（畳床）
３  磁石
１０  骨壺
Ｋ  骨壺収容空間
【図１】
0003212941.tif 000003
【図２】
0003212941.tif 000004
【図３】
0003212941.tif 000005
【図４】
0003212941.tif 000006
【図５】
0003212941.tif 000007